(57)【要約】【課題】  画像読取時に生じる原稿と読取部との焦点距離のずれに起因する画像への影響を抑制することのできる画像読取装置、画像処理プログラムを提供する。【解決手段】  読取部７の素子７Ｇ１が原稿搬送装置８により搬送される原稿で反射する反射光に応じて出力する信号と、原稿搬送装置８の搬送方向に対して素子７Ｇ１と異なる位置に設けられた読取部７の素子７Ｇ２が原稿搬送装置８により搬送される原稿で反射する反射光に応じて出力する信号との差分値を算出し、算出した差分値に基づいて補正値を決定し、決定した補正値により、少なくとも素子７Ｇ１が出力する信号を含む画像信号を補正する。【選択図】図１
2010251970.tif 000002
【特許請求の範囲】
【請求項１】
搬送手段により搬送される原稿で反射する反射光を受光し、該反射光に応じた信号を出力する第１の受光手段と、
前記搬送手段の搬送方向に対して前記第１の受光手段と異なる位置に設けられ、前記原稿で反射する反射光を受光し、該反射光に応じた信号を出力する第２の受光手段と、
前記第１の受光手段が出力する信号と前記第２の受光手段が出力する信号との差分値を算出する算出手段と、
前記算出手段が算出した差分値に基づいて補正値を決定する決定手段と、
前記決定手段が決定した補正値により、少なくとも前記第１の受光手段が出力する信号を含む画像信号を補正する画像補正手段と
を具備することを特徴とする画像読取装置。
【請求項２】
色に基づいて信号を補正する色補正手段をさらに具備し、
前記第１の受光手段は、受光した反射光から第１の色に応じた信号を出力し、
前記第２の受光手段は、受光した反射光から第２の色に応じた信号を出力し、
前記色補正手段は、前記第１の受光手段が出力する第１の色に応じた信号を前記第２の色に応じた信号に補正する
ことを特徴とする請求項１記載の画像読取装置。
【請求項３】
第１の受光手段が搬送手段により搬送される原稿で反射する反射光に応じて出力する信号と、前記搬送手段の搬送方向に対して前記第１の受光手段と異なる位置に設けられた第２の受光手段が搬送手段により搬送される原稿で反射する反射光に応じて出力する信号との差分値を算出する算出処理と、
前記算出処理で算出した差分値に基づいて補正値を決定する決定処理と、
前記決定処理で決定した補正値により、少なくとも前記第１の受光手段が出力する信号を含む画像信号を補正する画像補正処理と
をコンピュータに実行させることを特徴とする画像処理プログラム。
【請求項４】
前記第１の受光手段は、受光した反射光から第１の色に応じた信号を出力し、
前記第２の受光手段は、受光した反射光から第２の色に応じた信号を出力し、
前記第１の受光手段が受光した反射光から第１の色に応じて出力する信号を、前記第２の色に補正する色補正処理をさらに前記コンピュータに実行させる
ことを特徴とする請求項３記載の画像処理プログラム。
【発明の詳細な説明】
【技術分野】
【０００１】
本発明は、画像読取装置、画像処理プログラムに関する。
【背景技術】
【０００２】
画像読取装置においては、光学系を含む読取部を固定し、原稿を搬送することで、原稿面を読み取る方法が利用されることがある。この方法では、原稿を読み取る際に、原稿の位置により読取部と原稿表面との距離が異なるため、原稿の先端部、中央部、後端部とで読取部の焦点距離が異なることとなり、読み取った画像に対して悪影響を及ぼすことがある。
【０００３】
このため、原稿の搬送方向にに沿って並ぶように千鳥状に読取部を配列し、各読取部毎に焦点位置あわせを行う技術が提案されている（例えば、特許文献１参照）。
【先行技術文献】
【特許文献】
【０００４】
【特許文献１】特開２００４−１６５７８７号公報
【発明の概要】
【発明が解決しようとする課題】
【０００５】
本発明は、画像読取時に生じる原稿と読取部との焦点距離のずれに起因する画像への影響を抑制することのできる画像読取装置、画像処理プログラムを提供することを目的とする。
【課題を解決するための手段】
【０００６】
上述した目的を達成するため、請求項１の発明は、搬送手段により搬送される原稿で反射する反射光を受光し、該反射光に応じた信号を出力する第１の受光手段と、前記搬送手段の搬送方向に対して前記第１の受光手段と異なる位置に設けられ、前記原稿で反射する反射光を受光し、該反射光に応じた信号を出力する第２の受光手段と、前記第１の受光手段が出力する信号と前記第２の受光手段が出力する信号との差分値を算出する算出手段と、前記算出手段が算出した差分値に基づいて補正値を決定する決定手段と、前記決定手段が決定した補正値により、少なくとも前記第１の受光手段が出力する信号を含む画像信号を補正する画像補正手段とを具備することを特徴とする。
【０００７】
また、請求項２の発明は、請求項１の発明において、色に基づいて信号を補正する色補正手段をさらに具備し、前記第１の受光手段は、受光した反射光から第１の色に応じた信号を出力し、前記第２の受光手段は、受光した反射光から第２の色に応じた信号を出力し、前記色補正手段は、前記第１の受光手段が出力する第１の色に応じた信号を前記第２の色に応じた信号に補正することを特徴とする。
【０００８】
また、請求項３の発明は、第１の受光手段が搬送手段により搬送される原稿で反射する反射光に応じて出力する信号と、前記搬送手段の搬送方向に対して前記第１の受光手段と異なる位置に設けられた第２の受光手段が搬送手段により搬送される原稿で反射する反射光に応じて出力する信号との差分値を算出する算出処理と、前記算出処理で算出した差分値に基づいて補正値を決定する決定処理と、前記決定処理で決定した補正値により、少なくとも前記第１の受光手段が出力する信号を含む画像信号を補正する画像補正処理とをコンピュータに実行させることを特徴とする。
【０００９】
また、請求項４の発明は、請求項３の発明において、前記第１の受光手段は、受光した反射光から第１の色に応じた信号を出力し、前記第２の受光手段は、受光した反射光から第２の色に応じた信号を出力し、前記第１の受光手段が受光した反射光から第１の色に応じて出力する信号を、前記第２の色に補正する色補正処理をさらに前記コンピュータに実行させることを特徴とする。
【発明の効果】
【００１０】
請求項１の発明によれば、原稿との焦点距離のずれに起因する画像への影響を抑制することが可能となる。
【００１１】
また、請求項２の発明によれば、利用する受光手段に対する制限を緩和することが可能となる。
【００１２】
また、請求項３の発明によれば、原稿との焦点距離のずれに起因する画像への影響を抑制することが可能となる。
【００１３】
また、請求項４の発明によれば、異なる色に基づいて出力された信号により、原稿との焦点距離のずれに起因する画像への影響を抑制することが可能となる。
【図面の簡単な説明】
【００１４】
【図１】画像読取装置の構成の概略を示した図である。
【図２】画像読取装置１の画像処理部の構成例を示した図である。
【図３】原稿と読取部７との焦点距離のずれに起因する画像への影響を説明するための図である。
【図４】素子７Ｇ１の出力と素子７Ｇ２の出力の例を示した図である。
【図５】補正処理部１５の構成例を示した図である。
【図６】補正処理部１５の機能的な構成の構成例を示した図である。
【図７】ラインを説明するための図である。
【図８】補正値を記憶したテーブルの例を示した図である。
【図９】補正処理部１５の動作の流れの例を示すフローチャートである。
【図１０】補正処理部１５の動作の流れの例を示すフローチャートである。
【図１１】補正処理部１５の動作の流れの例を示すフローチャートである。
【図１２】実施例２における補正処理部１５の機能的な構成の構成例を示した図である。
【発明を実施するための形態】
【００１５】
以下、本発明に係る画像読取装置、画像処理プログラムの一実施の形態について、添付図面を参照して詳細に説明する。
【実施例１】
【００１６】
図１は、画像読取装置の構成の概略を示した図である。同図に示す画像読取装置１は、光源部２と、反射部３、原稿台４、反射鏡５−１、反射鏡５−２、反射鏡５−３、レンズ６、読取部７を有し、原稿搬送装置８とともに動作する。原稿搬送装置８は、原稿押さえ部９を有し、原稿を図中の矢印Ａ、矢印Ｂ、矢印Ｃが示す方向に順次搬送する。
【００１７】
画像読取装置１は、原稿搬送装置８により搬送されている原稿が原稿台４と原稿押さえ部９の間にある際に、当該原稿を読み取る。原稿台４は、ガラス等の透過性を有するもので、光源部２で発光される光と、この光を反射部３で反射した光とが原稿台４を通して原稿に照射され、その原稿面での反射光が、反射鏡５−１、反射鏡５−２、反射鏡５−３を介してレンズ６で集光され、読取部７に入力される。
【００１８】
読取部７は、例えば、ＣＣＤ（Charge Coupled Devices）等の光を電気信号に変換する素子で構成されるもので、ここでは、複数の素子７Ｂ、素子７Ｇ１、素子７Ｒ、素子７Ｇ２を有しているものとする。なお、素子７Ｂは、受光した光の青色成分を電気信号に変換し、素子７Ｇ１と素子７Ｇ２は、受光した光の緑色成分を電気信号に変換し、素子７Ｒは受光した光の赤色成分を電気信号に変換する。
【００１９】
読取部７が出力する電気信号は、例えば、図２に示す構成により処理される。図２は、画像読取装置１の画像処理部の構成例を示した図である。同図に示すように、画像読取装置１の画像処理部は、アナログ信号処理部１１と、Ａ／Ｄ変換部１２、シェーディング補正部１３、遅延処理部１４、補正処理部１５を有している。
【００２０】
アナログ信号処理部１１は、読取部７が出力する電気信号に対して、増幅や波形整形等の処理を施す。Ａ／Ｄ変換部１２は、アナログ信号処理部１１で処理が施されたアナログの電気信号を、ディジタルの画像信号に変換する。シェーディング補正部１３は、Ａ／Ｄ変換部１２でディジタル変換された画像信号の対してシェーディング補正を施す。遅延処理部１４は、シェーディング補正部１３でシェーディング補正が施された画像信号のうち、読取部７の素子７Ｇ１、素子７Ｒ、素子７Ｇ２のそれぞれに基づく信号を遅延させることで、素子７Ｂ、素子７Ｇ１、素子７Ｒ、素子７Ｇ２に基づく全ての信号が、原稿の同一箇所に基づく信号となるように調整を行う。補正処理部１５は、画像信号に後述する補正処理を施すことにより、原稿と読取部７との焦点距離のずれに起因する画像への影響を補正する。
【００２１】
ここで、原稿と読取部７との焦点距離のずれに起因する画像への影響について説明する。図３は、原稿と読取部７との焦点距離のずれに起因する画像への影響を説明するための図である。
【００２２】
図３（ａ）に示すように、原稿搬送装置８（図３では不図示）により搬送される原稿１０の先端が原稿台４と原稿押さえ部９の間に突入した際には、光源２（反射部３での反射光を含む）により原稿に照射され、反射鏡５−１、反射鏡５−２等を介して読取部７（図３では不図示）で受光される反射光は、原稿１０と原稿台４との隙間の影響で、光量の多い順に、素子７Ｇ２が受光する反射光、素子７Ｒが受光する反射光、素子７Ｇ１が受光する反射光、素子７Ｂが受光する反射光となる（ただし、原稿１０の濃度が均一であるものとする）。
【００２３】
一方、図３（ｂ）に示すように、原稿搬送装置８（図３では不図示）により搬送される原稿１０が原稿台４と原稿押さえ部９の間を通過中の際には、光源２（反射部３での反射光を含む）により原稿に照射され、反射鏡５−１、反射鏡５−２等を介して読取部７（図３では不図示）で受光される反射光は、素子７Ｂが受光する反射光、素子７Ｇ１が受光する反射光、素子７Ｒが受光する反射光、素子７Ｇ２が受光する反射光は、いずれも、同等の光量となる（ただし、原稿１０の濃度が均一であるものとする）。
【００２４】
また、図３（ｃ）に示すように、原稿搬送装置８（図３では不図示）により搬送される原稿１０の後端が原稿台４と原稿押さえ部９の間から脱出する際には、光源２（反射部３での反射光を含む）により原稿に照射され、反射鏡５−１、反射鏡５−２等を介して読取部７（図３では不図示）で受光される反射光は、原稿１０と原稿台４との隙間の影響で、光量の多い順に、素子７Ｇ２が受光する反射光、素子７Ｒが受光する反射光、素子７Ｇ１が受光する反射光、素子７Ｂが受光する反射光となる（ただし、原稿１０の濃度が均一であるものとする）。
【００２５】
このように、原稿１０での反射光の光量に差が生じる結果、同じ原稿の同じ色成分に基づく電気信号（画像信号に変換される信号）を出力する素子７Ｇ１の出力と、素子７Ｇ２の出力とに差が生じてしまうこととなる。
【００２６】
素子７Ｇ１の出力と素子７Ｇ２の出力との差は、例えば、図４に示すようになる。なお、同図中、実線で示しているのは、理想的な（原稿と読取部７との焦点距離のずれに起因する画像への影響が無い場合の）素子７Ｇ１の出力と素子７Ｇ２の出力を示している。    次に、補正処理部１５の詳細について説明する。図５は、補正処理部１５の構成例を示した図である。同図に示すように、補正処理部１５は、演算部２１と、記憶部２２、一時記憶部２３を有している。
【００２７】
演算部２１は、演算処理を行うもので、例えば、ＣＰＵ（Central Processing Unit）等のプロセッサにより実現されるものである。
【００２８】
記憶部２２は、情報等を記憶するもので、例えば、ＲＯＭ（Read Only Memory）、不揮発性メモリ(Nonvolatile Memory)等のメモリで実現されるものである。この記憶部２２は、補正処理プログラム２４と補正値テーブル２５を記憶する。補正処理プログラム２４は、演算部２１に補正処理を実行させるためのプログラムであり、補正値テーブル２５は、補正処理に際して利用する補正値を設定したテーブルである。
【００２９】
一時記憶部２３は、情報等を一時的に記憶するもので、例えば、ＲＡＭ（Random Access Memory）等のメモリで実現されるものである。この一時記憶部２３は、制御変数記憶部２６と画像記憶部２７の各記憶領域を提供する。制御変数記憶部２６は、演算部２１が補正処理プログラム２４に基づいて動作する際に、演算に利用する変数の値等を記憶するもので、画像記憶部２７は、補正対象となる画像信号を記憶する。
【００３０】
続いて、補正処理部１５の機能について説明する。図６は、補正処理部１５の機能的な構成の構成例を示した図である。
【００３１】
同図に示すように、補正処理部１５は、信号値比較部３１と、最小濃度値３２、画素位置特定部３３、差分値算出部３４、ライン補正部３５、補正値記憶部３６の各機能部を有している。なお、補正値記憶部３６は、図５に示した記憶部２２の補正値テーブル２５に相当するもので、他の各機能部は、同図に示した演算部２１の動作（一時記憶部２３の利用を含む）により実現されるものである。
【００３２】
信号値比較部３１は、補正処理部１５に入力された画像信号のうち、素子７Ｇ１が出力した信号値に基づく画像信号の信号値（以下、Ｇ１値と略称する）と、素子７Ｇ２が出力した信号値に基づく画像信号の信号値（以下、Ｇ２値と略称する）とを比較する。
【００３３】
最小濃度値検出部３２は、信号値比較部３１によるＧ１値とＧ２値の比較の結果、両者が異なる画素が存在した場合に、当該画素を含むライン中の濃度値が最小となる画素を検出する。画素とは、Ａ／Ｄ変換部１２でディジタル化された画像信号が表す画像の最小単位であり、画像読取時の主走査方向（主走査方向に直行する副走査方向が原稿の搬送方向に一致する）に画素を並べたものがラインとなる。例えば、図７（ａ）に示すような画像は、図７（ｂ）に示すようにライン４１、ライン４２等の集合であり、ライン４１は、図７（ｃ）に示すように、画素４３、画素４４等の集合である。
【００３４】
画素位置特定部３３は、最小濃度値検出部３２が検出した濃度値が最小となる画素の画像中の位置である画素位置を特定する。
【００３５】
差分値算出部３４は、画素位置特定部３３が特定した画素位置におけるＧ１値とＧ２値の差分値を算出する。
【００３６】
ライン補正部３５は、最小濃度値検出部３２が検出した最小濃度値と、差分値算出部３４が算出した差分値、これらの検出や算出の対象となったラインの位置に基づいて、当該ラインの画像信号を補正する。補正する画像信号は、読取部７の素子７Ｂ、素子７Ｇ１、素子７Ｒのそれぞれに基づく画像信号である。
【００３７】
補正値記憶部３６は、最小濃度値、差分値、ラインの位置から決定することのできる補正値をテーブルとして記憶するもので、例えば、図８に示すようなテーブルを記憶するものである。図８に示したテーブルは、ラインの位置がｎ／２未満（ｎは全ライン数）、つまり、図４に示した（ａ）区間に相当する場合と、ラインの位置がｎ／２以上、つまり、図４に示した（ｂ）区間に相当する場合のそれぞれで、差分値と最小濃度値に応じた補正値が設定されている。例えば、ライン位置が（ａ）区間に相当する位置で、差分値がα未満、最小濃度値がγ以上であれば、補正値は、「ｐｂ、ｐｇ、ｐｒ」となる。「ｐｂ、ｐｇ、ｐｒ」は、それぞれ、読取部７の素子７Ｂ、素子７Ｇ１、素子７Ｒのそれぞれに基づく画像信号のを補正する補正値である。
【００３８】
次に、補正処理部１５の動作の概略について説明する。図９は、補正処理部１５の動作の流れの例を示すフローチャートである。
【００３９】
補正処理部１５は、補正処理を開始すると、まず、信号値比較部３１が、あるラインのＧ１値とＧ２値を比較する（ステップ１０１）。その結果、当該ライン中に、Ｇ１値とＧ２値の異なる画素が存在した場合には（ステップ１０２でＹＥＳ）、最小濃度検出部３２が当該ライン中の最小濃度値を有する画素を検出し（ステップ１０３）、画素位置特定部３３が、当該ライン中の最小濃度値を有する画素の画素位置を特定する（ステップ１０４）。
【００４０】
続いて、差分値算出部３４が、画素位置特定部３３が特定した画素位置における画素のＧ１値とＧ２値の差分を算出する（ステップ１０５）。そして、ライン補正部３５が、画素位置特定部３３が特定した画素位置と、差分値算出部３４が算出した差分値、当該画素位置におけるＧ２値（またはＧ１値）に基づいて、補正値記憶部３６が記憶する補正テーブルから補正値を取得し、取得した補正値に基づいて、読取部７の素子７Ｂ、素子７Ｇ１、素子７Ｒのそれぞれに基づく画像信号のを補正を行う（ステップ１０６）。
【００４１】
一方、信号値比較部３１が比較した結果、ライン中にＧ１値とＧ２値が異なる画素が存在しない場合には（ステップ１０２でＮＯ）、当該ラインに対する補正は行わない。
【００４２】
そして、これらの処理を全ラインに対して行い（ステップ１０７でＮＯ）、全ラインに対して同様の処理を行うと（ステップ１０７でＹＥＳ）、補正処理部１５は、補正処理を終了する。
【００４３】
なお、ここでは、全ラインに対して処理を行うものとしたが、例えば、図４に示す（ｃ）区間に相当するラインは、原稿と読取部７との焦点距離のずれに起因する画像への影響が生じる可能性が少ないため、（ｃ）区間に相当するラインの処理を省略するようにしてもよい。
【００４４】
続いて、補正処理部１５の詳細な動作の例について説明する。図１０及び図１１は、補正処理部１５の動作の流れの例を示すフローチャートである。
【００４５】
補正処理部１５は、補正処理を開始すると、まず、変数ｘを１に設定し（ステップ２０１）、続いて、変数ｗを１に設定する（ステップ２０２）。
【００４６】
次に、補正処理部１５は、信号値比較部３１が変数ｘと変数ｗで示される画素であるｘラインｗ画素のＧ１値とＧ２値を比較する（ステップ２０３）。比較の結果、両者が同じ値、つまり、「Ｇ１値−Ｇ２値＝０」であった場合には（ステップ２０４でＹＥＳ）、変数ｗの値に１を加え（ステップ２０５）、変数ｗの値がｍ以下であれば（ステップ２０６でＮＯ）、ステップ２０３の処理に戻り、同ラインの次の画素のＧ１値とＧ２値の比較を行う。ｍは、各ラインの画素の数、つまり、主走査方向の画素の数に相当する値である。なお、ステップ２０３でのＧ１値とＧ２の比較により、「Ｇ１値−Ｇ２値＝０」であるか否かを確認しているが、誤差等を考慮し、Ｇ１値−Ｇ２値の値が一定の範囲内にある場合を「０」、すなわち、両者の値が同じであると見做すようにしてもよい。
【００４７】
また、ステップ２０５で変数ｗの値に１を加えた結果、変数ｗの値がｍより大きくなれば（ステップ２０６でＹＥＳ）、変数ｘの値に１を加え（ステップ２０７）、変数ｘの値がｎ以下であれば（ステップ２０８でＮＯ）、ステップ２０２の処理に戻り、次のラインに対して同様の処理を行う。ｎは、画像信号が表す画像のライン数である。
【００４８】
一方、ｘラインｗ画素のＧ１値とＧ２値の比較の結果、両者が異なる値、つまり、「Ｇ１値−Ｇ２値＝０」でなかった場合には（ステップ２０４でＮＯ）、補正処理部１５は、変数ｗの値を２に設定する（ステップ２０９）。
【００４９】
次に、補正処理部１５は、最小濃度値検出部３２が変数ｘと変数ｗで示される画素であるｘラインｗ−１画素の画素位置とＧ２値を、変数ＭＩＮｗ−１（Ｘ，Ｙ）に格納し（ステップ２１０）、同様に変数ｘと変数ｗで示される画素であるｘラインｗ画素の画素位置とＧ２値を、変数ＭＩＮｗ（Ｘ，Ｙ）に格納し（ステップ２１１）、両者のＧ２値を比較する。その結果、変数ＭＩＮｗ（Ｘ，Ｙ）に格納したＧ２値の方が小さければ（ステップ２１２でＹＥＳ）、変数ＭＩＮｗ（Ｘ，Ｙ）の値を変数ＭＩＮに格納する（ステップ２１３）。そして、補正処理部１５は、変数ｗの値に１を加え（ステップ２１４）、変数ｗの値がｍ以下であれば（ステップ２１５でＮＯ）、ステップ２１０の処理に戻り同様の処理を繰り返し、ｘライン中のＧ２値が最小となる画素を検出する。
【００５０】
また、ステップ２１４で変数ｗの値に１を加えた結果、変数ｗの値がｍより大きくなれば（ステップ２１５でＹＥＳ）、その際に変数ＭＩＮに格納されている画素位置が最小濃度の画素であるので、差分値算出部３４が変数ＭＩＮに格納されている画素位置のＧ２値−Ｇ１値を算出してその結果を変数ＤＩＦに格納する（ステップ２１６）。
【００５１】
そして、ライン補正部３５が、変数ＭＩＮに格納されている最小濃度値（Ｇ２値）と、変数ＤＩＦに格納されている差分値（Ｇ２値−Ｇ１値）、変数ｘに基づく補正値を補正値記憶部３６から選択し（ステップ２１７）、選択した補正値に基づいてラインｘの各画素を補正し（ステップ２１８）、ステップ２０２の処理に戻り、次のラインに対して同様の処理を行う。
【実施例２】
【００５２】
実施例１では、画像信号の信号値の比較や差分値の算出に際して、Ｇ１値とＧ２値のように同色の色成分に基づく画像信号を利用する場合を説明したが、異なる色成分の画像信号のいずれか一方の信号値を他方に合わせるように変換して比較や差分値の算出に利用することもできる。
【００５３】
この場合には、補正処理部１５は、図１２に示すように、実施例１で説明した補正処理部１５に、色補正部３７を加えた機能構成となる。色補正部３７は、比較対象となる信号値の一方を他方に合わせるように変換するものである。
【００５４】
この構成により、２以上の素子を有する読取部が設けられた画像読取装置であれば、補正を行うことが可能となる。
【符号の説明】
【００５５】
１    画像読取装置
２    光源部
３    反射部
４    原稿台
５−１、５−２、５−３    反射鏡
６    レンズ
７    読取部
７Ｂ、７Ｇ１、７Ｒ、７Ｇ２    素子
８    原稿搬送装置
９    原稿押さえ部
１０    原稿
１１    アナログ信号処理部
１２    Ａ／Ｄ変換部
１３    シェーディング補正部
１４    遅延処理部
１５    補正処理部
２１    演算部
２２    記憶部
２３    一時記憶部
２４    補正処理プログラム
２５    補正値テーブル
２６    制御変数記憶部
２７    画像記憶部
３１    信号値記憶部
３２    最小濃度検出部
３３    画素位置特定部
３４    差分値算出部
３５    ライン補正部
３６    補正値記憶部
３７    色補正部
４１    ライン
４２    ライン
４３    画素
４４    画素
Ａ、Ｂ、Ｃ    原稿搬送方向
【図１】
2010251970.tif 000003
【図２】
2010251970.tif 000004
【図３】
2010251970.tif 000005
【図４】
2010251970.tif 000006
【図５】
2010251970.tif 000007
【図６】
2010251970.tif 000008
【図７】
2010251970.tif 000009
【図８】
2010251970.tif 000010
【図９】
2010251970.tif 000011
【図１０】
2010251970.tif 000012
【図１１】
2010251970.tif 000013
【図１２】
2010251970.tif 000014